(57)【特許請求の範囲】
【請求項１】
記録媒体に記録された情報を読み取るピックアップと、
該ピックアップの側方に突出するように設けられた軸受と該軸受に挿通され両端が固定されたガイドシャフトとを有し、前記ピックアップの移動を案内するように移動方向に支持する支持機構と、
前記ピックアップを移動させる駆動機構と、
端部が前記ピックアップに接続され、該ピックアップの移動方向に延在する第１の延在部と、端部が固定され、該第１の延在部に対して所定角度を有する方向に延在する第２の延在部と、を有し、前記第１の延在部の端部をＵ字状に湾曲させた状態で前記ピックアップの下側を通過するように配置される可撓性配線板と、
を備えてなるディスク装置において、
前記可撓性配線板は、前記第１の延在部と前記第２の延在部とが交差する角部から前記ピックアップに対向する第１の延在部の端部に至る範囲に幅広部を有し、
前記幅広部は、前記軸受が突出する方向に第１の延在部の端部から前記角部に向かって徐々に幅広となるように形成されたことを特徴とするディスク装置。
【発明の詳細な説明】
【０００１】
【発明の属する技術分野】
本発明はピックアップが移動する過程でピックアップに接触しないように構成されたディスク装置に関する。
【０００２】
【従来の技術】
近年、ＣＤ−ＲＯＭ装置やＤＶＤ装置などのディスク装置においては、小型化及び薄型化が促進されており、ディスクに記録された情報を読み取る光学ピックアップに接続される可撓性配線板（ＦＰＣ：Flexible Printed Circuit Board）の引き回しに制約が生じている。
【０００３】
図６は従来の可撓性配線板をピックアップに接続した状態を示す図であり、（Ａ）は平面図、（Ｂ）は背面図である。図７は従来の可撓性配線板の形状を示す平面図である。
従来の可撓性配線板１は、例えば図６（Ａ）（Ｂ）及び図７に示されるように、ピックアップ（移動体）２の移動方向に延在する第１の延在部１ａと、第１の延在部に対して所定角度α（αは９０度以下の鋭角な角度）をなす方向に延在する第２の延在部１ｂとを有する。また、可撓性配線板１は、第１の延在部１ａの端部１ｃがピックアップ２に接続され、第２の延在部１ｂの端部１ｄが装置の基板上に固定されたコネクタ３に接続される。
【０００４】
コネクタ３の位置は、装置の小型化により規制されている。そのため、第１の延在部１ａと第２の延在部１ｂとは、角度αの角度で交差することになり、この交差部分には、強度を高めるために補強部４が設けられている。この補強部４は、第１の延在部１ａの延在方向（ピックアップ２の移動方向）に対して所定角度β（βは９０度以上の鈍角な角度）の角度に形成されている。
【０００５】
また、ピックアップ２は、ディスク半径方向に移動するように両側にガイドシャフト５ａ，５ｂが係合する軸受け部６〜８を有する。
【発明が解決しようとする課題】
しかるに、従来の可撓性配線板１では、装置の小型化により可撓性配線板１の設置スペースが制限されているため、可撓性配線板１の補強部４をピックアップ２の移動範囲外に設けることが難しく、また、装置の薄型化によりピックアップ２を可撓性配線板１から充分に離間させることが難しかった。
【０００６】
そのため、ピックアップ２がガイドシャフト５ａ，５ｂにガイドされて移動する過程で軸受け部６が補強部４の上を通過する際に、可撓性配線板１の補強部４がめくれるように変形していると、軸受け部６の下側角部６ａが可撓性配線板１の補強部４の縁部４ａに引っ掛かりピックアップ２が移動できなくなるおそれがあるという問題があった。
そこで、本発明は上記課題を解決したディスク装置を提供することを目的とする。
【０００７】
【課題を解決するための手段】
上記課題を解決するため、本発明は以下のような特徴を有する。
本発明は、記録媒体に記録された情報を読み取るピックアップと、
該ピックアップの側方に突出するように設けられた軸受と該軸受に挿通され両端が固定されたガイドシャフトとを有し、前記ピックアップの移動を案内するように移動方向に支持する支持機構と、
前記ピックアップを移動させる駆動機構と、
端部が前記ピックアップに接続され、該ピックアップの移動方向に延在する第１の延在部と、端部が固定され、該第１の延在部に対して所定角度を有する方向に延在する第２の延在部と、を有し、前記第１の延在部の端部をＵ字状に湾曲させた状態で前記ピックアップの下側を通過するように配置される可撓性配線板と、
を備えてなるディスク装置において、
前記可撓性配線板は、前記第１の延在部と前記第２の延在部とが交差する角部から前記ピックアップに対向する第１の延在部の端部に至る範囲に幅広部を有し、
前記幅広部は、前記軸受が突出する方向に第１の延在部の端部から前記角部に向かって徐々に幅広となるように形成されたことを特徴とする。
【００１０】
そして、ディスク収納部２４の下方には、ターンテーブル１８のクランプ機構２３にクランプされたディスク２２に記録された情報を読み取るための光ピックアップ（移動体）２６がディスク半径方向に移動可能に取り付けられている。光ピックアップ２６は、ディスク収納部２４の凹部２４ａに収納されており、凹部２４ａは光ピックアップ２６の対物レンズ２７が移動する範囲に開口２８ａを有するピックアップカバー２８で覆われている。また、トレー２０の前端に結合された前面ベゼル３０は、中央にイジェクト釦３２が設けられている。
【００１１】
ターンテーブル１８の下方に設けられたディスクモータ１９が回転駆動されてターンテーブル１８及びターンテーブル１８のクランプ機構２３にクランプされたディスク２２が回転すると遠心力により回転中心の空気がディスク２２の外周側へ移動する。
【００１２】
図２に示されるように、トレー２０は両側に前後方向に摺動可能に取り付けられたガイドレール４０，４２を介して支持されており、前面ベゼル３０に設けられたイジェクト釦３２が押圧操作されると、トレー２０のロックが解除され、ロック解除されたトレー２０は手動操作により図３に示すようにＡ方向にスライドしてディスク交換位置に引き出される。また、ディスク交換位置に引き出されたトレー２０のターンテーブル１８にディスク２２がクランプされた後、操作者は前面ベゼル３０をＢ方向に押圧操作することにより、トレー２０がＢ方向に移動して図２に示すディスク装着位置でロックされる。
【００１３】
ここで、光ピックアップ２６をディスク半径方向に移動させるピックアップ駆動機構について説明する。
ピックアップ駆動機構３４は、図２及び図３において、光ピックアップ２６の移動方向を案内する一対のガイドシャフト３５，３６と、光ピックアップ２６を駆動する駆動モータ３７と、駆動モータ３７の回転駆動力を光ピックアップ２６に伝達する伝達機構３８とから構成されている。また、光ピックアップ２６の両側には、一対のガイドシャフト３５，３６に係合して移動方向をガイドされる軸受部２６ａ〜２６ｃが突出している。伝達機構３８は、駆動モータ３７の回転を減速するギヤ群３８ａと、ギヤ群３８ａを介して回転駆動されるリードスクリュウ３８ｂとからなる。そして、光ピックアップ２６は、リードスクリュウ３８ｂの螺旋溝に係合する係合部２６ｄを有する。
【００１４】
従って、駆動モータ３７の回転がギヤ群３８ａを介してリードスクリュウ３８ｂに伝達されることにより光ピックアップ２６がディスク半径方向に移動する。
【００１５】
図４は本発明の可撓性配線板が光ピックアップ２６に接続された状態を示す図であり、（Ａ）は平面図、（Ｂ）は背面図である。図５は本発明の可撓性配線板を展開した状態を示す平面図である。
【００１６】
図４（Ａ）（Ｂ）及び図５に示されるように、可撓性配線板４５は、ＦＰＣ(Flexible Printed Circuit Board)からなり、光ピックアップ２６の移動方向に延在する第１の延在部４５ａと、第１の延在部４５ａに対して所定角度αを有する方向に延在する第２の延在部４５ｂと、第１の延在部４５ａの先端で光ピックアップ２６に接続される接続端子４５ｃと、第２の延在部４５ｂの先端で基板（図示せず）上に設けられたコネクタ４７に接続される接続端子４５ｄとを有する。
【００１７】
第１の延在部４５ａは、光ピックアップ２６が移動しやすいようにＵ字状に湾曲させた状態で光ピックアップ２６の下側に通過させるように配置される。この湾曲部４５ｅは、光ピックアップ２６の移動に伴って移動することにより光ピックアップ２６のシーク動作を妨げないようになっている。
【００１８】
さらに、可撓性配線板４５は、第１の延在部４５ａと第２の延在部４５ｂとが交差する角部４５ｆから光ピックアップ２６の下面に対向する位置に至る範囲に亘り三角形状に形成された幅広部４８（図４（Ｂ）及び図５中、ハッチング部分）が形成されている。また、幅広部４８の始点となるＳ点では、第１の延在部４５ａとの角度θが角度β（前述した図７に示す）より大きい角度（例えば、約１３５度以上の角度）になるように形成されている。この角度θは、Ｓ点の位置を変えることにより変更できる。そして、このＳ点の位置は、光ピックアップ２６がターンテーブル１８から最も離間したディスク外周側に移動したとき、光ピックアップ２６の下面に対向する位置である。
【００１９】
すなわち、光ピックアップ２６は、特に軸受部２６ａはディスク外周側からディスク内周側へ移動する過程で幅広部４８の始点（Ｓ点）から第２の延在部４５ｂと交差する終点（Ｅ点）に向かって移動することになる。そのため、光ピックアップ２６は、常にＵ字状に湾曲した幅広部４８の上方を通過するように移動することなり、軸受部２６ａの下側角部２６が可撓性配線板４５の幅広部４８の縁部に引っ掛かることが防止される。
【００２０】
また、幅広部４８の上面には、導電パターン４９（図４（Ｂ）及び図５中、ハッチング部分）が被覆形成されている。これにより、幅広部４８自体の強度も向上しており、角部４５ｆ付近が変形しにくい構成になっている。このように、光ピックアップ２６が第１の延在部４５ａと第２の延在部４５ｂ分とが交差する角部４５ｆは、導電パターン４９により補強されて光ピックアップ２６の下面側と接触しないように保持される。
【００２１】
そのため、可撓性配線板４５の幅広部４８の表面に導電パターン４９を形成することにより、光ピックアップ２６は、軸受部２６ａの下側角部２６ｄが可撓性配線板４５の幅広部４８の縁部に引っ掛かることが防止される。
【００２２】
さらに、幅広部４８が設けられた反対側となる第１の延在部４５ａの側部表面には、補強用の導電パターン５０が被覆形成されている。これにより、第１の延在部４５ａの強度が向上して変形しにくい構成になっている。
【００２３】
尚、光ピックアップ２６が移動する際には、上記幅広部４８も第１の延在部４５ａと共にＵ字状に湾曲するが、比較的湾曲する頻度が多いＳ点付近で幅広部４８の幅が狭くなるように形成されているので、幅広部４８が光ピックアップ２６の移動を妨げないように設けられている。
尚、本発明は、上記実施例のようなＣＤ−ＲＯＭドライブ装置に限らず、他のディスク状記録媒体、例えば、ＣＤ、磁気ディスク、光磁気ディスク、光ディスクの場合にも、同様に適用される。
【００２４】
又、本発明のディスク装置は、ノート形パソコンの筐体内に収納される構成を一例として説明したが、これに限らず、他に電子機器は勿論、電子機器とは別体の外部機器として使用される構成の装置にも適用できる。
【００２５】
又、上記実施例では、トレーが手動操作により移動したが、これに限らず、本発明がモータ等の駆動手段によりトレーを移動させる構成の装置にも適用できるのは勿論である。
【００２６】
又、上記実施例では、ディスクがターンテーブルにクランプされる構成であるが、これに限らず、本発明がトレーにディスクが載置される構成にも適用できるのは言うまでもない。
【００２７】
【発明の効果】
上述の如く、本発明によれば、可撓性配線板の第１の延在部と第２の延在部とが交差する角部からピックアップに対向する第１の延在部の端部に至る範囲に幅広部を有し、幅広部が、軸受が突出する方向に第１の延在部の端部から前記角部に向かって徐々に幅広となるように形成されたため、第１の延在部分と第２の延在部分とが交差する角部を補強してめくれにくくでき、これにより、ピックアップが移動する際にピックアップの軸受が幅広部に対向する位置を通過する際に引っ掛かることを防止でき、ピックアップの移動時の負荷を軽減することができる。
【図面の簡単な説明】
【図１】本発明になる可撓性配線板が適用されたディスク装置の一実施例を示す分解斜視図である。
【図２】ディスク装置の平面図である。
【図３】トレー２０をディスク交換位置に引き出した状態を示す平面図である。
【図４】本発明の可撓性配線板が光ピックアップ２６に接続された状態を示す図であり、（Ａ）は平面図、（Ｂ）は背面図である。
【図５】本発明の可撓性配線板を展開した状態を示す平面図である。
【図６】従来の可撓性配線板をピックアップに接続した状態を示す図であり、（Ａ）は平面図、（Ｂ）は背面図である。
【図７】従来の可撓性配線板の形状を示す平面図である。
【符号の説明】
１１  ディスク装置
１６  下カバー
１８  ターンテーブル
２０  トレー
２２  ディスク
２３  クランプ機構
２４  ディスク収納部
２６  光ピックアップ
２６ａ〜２６ｃ  軸受部
２７  対物レンズ
３４  ピックアップ駆動機構
３５，３６  ガイドシャフト
３７  駆動モータ
３８  伝達機構
４５  可撓性配線板
４５ａ  第１の延在部
４５ｂ  第２の延在部
４５ｅ  湾曲部
４５ｆ  角部
４９，５０  導電パターン
【図１】
0003702781.tif 000002
【図２】
0003702781.tif 000003
【図３】
0003702781.tif 000004
【図４】
0003702781.tif 000005
【図５】
0003702781.tif 000006
【図６】
0003702781.tif 000007
【図７】
0003702781.tif 000008